【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
ディスクを搭載するターンテーブル部が一体に形成されたロータフレーム、前記ターンテーブル部と共にディスクを芯出し支持する調芯部材、前記ロータフレームに取り付けられたロータマグネット、及び前記ロータフレームの中央に固定されたシャフトを有するロータ部と、
前記シャフトを支承する軸受、この軸受を保持する円筒形状の軸受ハウジング、前記ロータマグネットと対向して配置され巻線が施されたコア、及び前記軸受ハウジングを保持するブラケットを備えるステータ部からなるディスク回転用モータにおいて、
前記ブラケットには、前記軸受ハウジングの円筒状部を収容保持する有底円筒形状の軸受ハウジング保持部が一体に形成され、この軸受ハウジング保持部の底部に挿入されたスラスト板を介して前記シャフトがスラスト方向に支持されており、
前記軸受ハウジング保持部は、前記軸受ハウジングの円筒状部の軸方向寸法の少なくとも２分の１を収容するように形成され、
前記軸受ハウジング保持部と前記軸受ハウジングの円筒状部との間には、光硬化型の接着剤が充填されており、
前記軸受ハウジング保持部の軸方向上側の端部には、軸方向上側に向けて拡径する拡径部が形成されている、ディスク回転用モータ。
【請求項２】
前記軸受ハウジングの軸方向下側の基端部を径方向内側に折り曲げ、この折り曲げた部位と前記軸受ハウジング保持部の底部とを接触させたことを特徴とする、請求項１に記載のディスク回転用モータ。
【請求項３】
前記軸受ハウジング保持部の底部のうち前記軸受ハウジングの基端部付近に複数の貫通穴を形成したことを特徴とする、請求項１又は２に記載のディスク回転用モータ。
【請求項４】
前記軸受ハウジングの軸方向上側端面には、径方向外側に向かって被係合部が一体に形成され、
前記ロータフレームには、前記被係合部と係合する係合部が形成された抜け止め部材が固定され、
前記ロータフレームの内側開口部の中央に前記軸受の一部を収納する凹部が開口方向と逆側に突き出して形成され、
この凹部内に前記被係合部および前記係合部が収容され、前記調芯部材が径方向内側に前記凹部を内包しながら前記ロータフレームに取り付けられていることを特徴とする、請求項１から３のいずれか１項に記載のディスク回転用モータ。
【請求項５】
前記拡径部は、回転軸に対する前記拡径部の軸方向下側端と上側端とを結ぶ第１の傾斜角が、前記回転軸に対する前記拡径部の軸方向下側端と前記被係合部の外周とを結ぶ第２の傾斜角より大きくなるように形成されていることを特徴とする、請求項４に記載のディスク回転用モータ。
【請求項６】
請求項１から請求項５のいずれか１項に記載のディスク回転用モータを搭載したディスク駆動装置。
【手続補正２】
【補正対象書類名】明細書
【補正対象項目名】発明の名称
【補正方法】変更
【補正の内容】
【発明の名称】ディスク回転用モータ及びディスク駆動装置
【手続補正３】
【補正対象書類名】明細書
【補正対象項目名】００１０
【補正方法】変更
【補正の内容】
【００１０】
上記課題を解決するために本発明は、ディスクを搭載するターンテーブル部が一体に形成されたロータフレーム、ターンテーブル部と共にディスクを芯出し支持する調芯部材、ロータフレームに取り付けられたロータマグネット、
及びロータフレームの中央に固定されたシャフトを有するロータ部と、シャフトを支承する軸受、この軸受を保持する円筒形状の軸受ハウジング、ロータマグネットと対向して配置され巻線が施されたコア
、及び軸受ハウジングを保持するブラケットを備えるステータ部とからなるディスク回転用モータにおいて、ブラケットには、軸受ハウジングの円筒状部を収容保持する有底円筒形状の軸受ハウジング保持部が一体に形成され、この軸受ハウジング保持部の底部に挿入されたスラスト板を介してシャフトがスラスト方向に支持されており、軸受ハウジング保持部は、軸受ハウジングの円筒状部の軸方向寸法の少なくとも２分の１を収容するように形成され、軸受ハウジング保持部と軸受ハウジングの円筒状部との間には、光硬化型の
接着剤が充填されており、軸受ハウジング保持部の軸方向上側の端部には、軸方向上側に向けて拡径する拡径部が形成されている。
好ましくは、ディスクを搭載するターンテーブル部が一体に形成されたロータフレームとディスクを芯出し支持する調芯部材と前記ロータフレームに取り付けられたロータマグネットと前記ロータフレームの中央に固定されたシャフトとを有するロータ部と、前記シャフトを支承する軸受とこの軸受を保持する円筒形状の軸受ハウジングと前記ロータマグネットと対向して配置され巻線が施されたコアと前記軸受ハウジングを保持するブラケットとを備えるステータ部とからなるディスク回転用モ−タにおいて、前記軸受ハウジングの軸方向上側端面には、径方向外側に向かって被係合部が一体に形成され、前記ロータフレームには、前記被係合部と係合する係合部が形成された抜け止め部材が固定され、前記ロータフレームの内側開口部の中央に前記軸受の一部を収納する凹部が開口方向と逆側に突き出して形成され、この凹部内に前記軸受ハウジングの被係合部および前記抜け止め部材の係合部が収容され、前記調芯部材が径方向内側に前記凹部を内包しながら前記ロータフレームに取り付けられ、前記ブラケットには、前記軸受ハウジングの円筒状部を収容保持する有底円筒形状の軸受ハウジング保持部が一体に形成され、この軸受ハウジング保持部の底部に挿入されたスラスト板を介して前記シャフトをスラスト方向に支持しており、前記ブラケットの軸受ハウジング保持部は、前記軸受ハウジングの円筒状部の軸方向寸法の少なくとも２分の１を収容するように形成され、前記軸受ハウジング保持部と前記軸受ハウジングの円筒状部との間には、光硬化型の接着剤が充填されており、前記軸受ハウジング保持部の軸方向上側の端部には、軸方向上側に向けて拡径する拡径部が形成されており、回転中心に対する前記拡径部の軸方向下側端と上側端を結ぶ第１の傾斜角は、回転中心に対する前記拡径部の軸方向下側端と前記軸受ハウジングの被係合部の外周とを結ぶ第２の傾斜角より大きく形成したものである。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００２２
【補正方法】変更
【補正の内容】
【００２２】
また、軸受ハウジング９の軸方向下側の基端部を径方向内側に折り曲げてＬ字形状部９ａを形成し、このＬ字形状部９ａをブラケット１３の軸受ハウジング保持部１６の底部と密着させることにより、接着剤塗布部の気密性が高まり、接着剤が軸受８の内部に流出することを防止できる。さらに、光硬化型の接着剤が嫌気性を兼ね備える場合には、軸受ハウジング９の円筒部と軸受ハウジング保持部１６の間の空隙に充填された接着剤を、確実に硬化させることが可能となる。
軸受ハウジング保持部の軸方向上側の端部に拡径部を形成して、この拡径部を接着剤の溜部とするとともに、回転中心に対する拡径部の軸方向下側端と上側端を結ぶ第１の傾斜角を、回転軸に対する拡径部の軸方向下側端と軸受ハウジングの被係合部の外周とを結ぶ第２の傾斜角より大きく形成することにより、接着剤として作業性が良好かつ高い接着強度が得られる紫外線硬化型の接着剤を使用した場合、照射される紫外線が拡径部の軸方向上側に位置する軸受ハウジングの被係合部に遮られないので、紫外線を接着剤塗布部の奥迄浸透させることができる。これにより、接着剤を確実に硬化させることができるので、締結強度の増大が期待できる。
さらに、ロータフレームの内側開口部の中央に開口方向と逆側に突き出して形成された凹部内に、軸受の一部と軸受ハウジングの被係合部および抜け止め部材の係合部を収容し、調芯部材の径方向内側に凹部を内包しながらロータフレームに取り付ける構成にすることにより、軸受の軸方向寸法を確保しながら、薄型化することができる。
加えて、ブラケットはプレス加工で一体的に形成可能であるため、部材も比較的安価であることに加え、部品点数も削減でき、組立性も改善される。